(57)【要約】      （修正有）【課題】上面に備えた注入口から安全且つ容易に液体を注入することのできる湯たんぽを提案する。【解決手段】本体上面２ａに備えた注入口２１から液体を注入し、封入部２４に液体を封入する湯たんぽ本体２と、開放された下端３１を取外自在に湯たんぽ本体２上部に嵌着し、前記注入口２１を略囲繞する漏斗カバー３とで構成し、該漏斗カバー３のカバー上面３ａに、該カバー上面３ａを貫通し、前記注入口２１に挿着可能な挿着孔３２を備え、前記湯たんぽ本体２の正面側側面に、目に当接させる２つの当接凸部２２を設け、２つの当接凸部２２を、普通人の左右の両目の間隔に合わせて配置した。【選択図】図５
2008142188.tif 000002
【特許請求の範囲】
【請求項１】
上面に備えた注入口から液体を注入し、内部の液体封入部に液体を封入する本体部と、
開放された下面部分を取外自在に本体上部に嵌着し、前記注入口を略囲繞するカバー体とで構成し、
該カバー体の上面に、該上面を貫通し、前記注入口に挿着可能な貫通挿着部を備えた
湯たんぽ。
【請求項２】
前記本体部の外側面に、局部に当接させる２つの局部用当接部を設け、
該２つの局部用当接部を、
普通人の左右の両目の間隔に合わせて配置した
請求項１に記載の湯たんぽ。
【請求項３】
前記本体部を、
左右幅の長さに対して奥行き長さを短く形成するとともに、
前後の側面のそれぞれを、奥行き方向の平面視円弧形状で形成し、
前記局部当接部を、
前記前後の側面のうち凸側である側面に備えた
請求項２に記載の湯たんぽ。
【請求項４】
前記局部用当接部を、
表面を曲線凸形状に形成した局部用凸部で構成した
請求項２、又は３に記載の湯たんぽ。
【請求項５】
前記前後の側面のうち凹側の側面に、
複数のマッサージ用凸部を配置した
請求項３又は４に記載の湯たんぽ。
【発明の詳細な説明】
【技術分野】
【０００１】
この発明は、本体内部に高温或いは低温の液体を封入し、温め効果、或いは冷却効果を得ることのできる湯たんぽに関する。
【背景技術】
【０００２】
従来から、上面に備えた注入口から液体を注入し、内部の液体封入部に液体を封入して使用する湯たんぽが提案されている。該湯たんぽは、例えば高温の湯を封入すれば温め効果を得ることができ、低温の水を封入すれば冷却効果を得ることができる。  
しかし、上記湯たんぽの場合、上面に備えた注入口から本体内部の液体封入部に液体を注入するため、注入作業が困難であり、例えば、高温の液体を注入する際に、高温の液体がこぼれて火傷する危険性があった。
【特許文献１】実用新案登録第３０６４６１９号公報
【発明の開示】
【発明が解決しようとする課題】
【０００３】
この発明は、上面に備えた注入口から安全且つ容易に液体を注入することのできる湯たんぽを提案することを目的とする。
【課題を解決するための手段】
【０００４】
この発明は、上面に備えた注入口から液体を注入し、内部の液体封入部に液体を封入する本体部と、開放された下面部分を取外自在に本体上部に嵌着し、前記注入口を略囲繞するカバー体とで構成し、該カバー体の上面に、該上面を貫通し、前記注入口に挿着可能な貫通挿着部を備えた湯たんぽであることを特徴とする。
【０００５】
上記カバー体の上面に配した貫通挿着部は、前記本体部から取外したカバー体を、開放された下面が上側となるように上下逆さまにして、カバー体の上面が下側となった状態で本体上面に備えた注入口に挿着できる部分であることを含む。
【０００６】
これにより、液体を注入する注入口をカバー体で略囲繞するため、使用状態において、注入口が露出せずデザイン性に富んだ湯たんぽを構成することができる。  
また、上下逆さま状態のカバー体の貫通挿着部を注入部に挿着することによって、カバー体内部と本体内部の液体封入部とが貫通挿着部を介して連通させることができる。したがって、上下逆さま状態のカバー体を液体封入部へ液体を注入するための漏斗として利用することができ、安全、且つ容易に液体を注入することができる。また、液体を注入するための漏斗を別途用意することなく、本体部に取外自在に嵌着させたカバー体を漏斗として利用でき、利用者の利便性が向上する。
【０００７】
この発明の態様として、前記本体部の外側面に、局部に当接させる２つの局部用当接部を設け、該２つの局部用当接部を、普通人の左右の両目の間隔に合わせて配置することができる。
【０００８】
上記局部とは、湯たんぽの温め効果或いは冷却効果を作用させる部分であり、例えば、疲れ目等に対して目に温め効果、或いは冷却効果を作用させる際は、まぶたを閉じた状態の目となる。  
上記局部用当接部は、上記局部に当接させる部分であり、例えば、他の部分との形状、材質、肉厚、或いは表面処理等が異なる部分であることを含む。
【０００９】
これにより、局部用当接部を局部に当接することによって、液体封入部に封入した液体による湯たんぽの温め効果、或いは冷却効果を作用させることができる。なお、２つの局部用当接部を左右両目の間隔にあわせて配置したため、両目同時に温め効果、或いは冷却効果を作用させることができる。
【００１０】
また、この発明の態様として、前記本体部を、左右幅の長さに対して奥行き長さを短く形成するとともに、前後の側面のそれぞれを、奥行き方向の平面視円弧形状で形成し、前記局部当接部を、前記前後の側面のうち凸側である側面に備えることができる。
【００１１】
上記左右幅の長さに対して奥行き長さを短く形成した本体部は、略四角形等の多角形、小判型、或いは楕円形等の様々な形状の正面形状で形成し、当該正面形状に対して奥行きの薄い形状であることを含む。  
上記前後の側面のそれぞれを、奥行き方向の平面視円弧形状で形成した本体部は、奥行き方向に同方向の凸状で形成した平面視略円弧形状であることを含む。  
これにより、前記前後の側面のうち凸側である側面に備えた前記局部当接部を、容易、且つ確実に、局部に当接させることができる。
【００１２】
また、この発明の態様として、前記局部用当接部を、表面を曲線凸形状に形成した局部用凸部で構成することができる。  
これにより、表面を曲線凸形状に形成した局部用凸部を、安全且つ確実に、局部に当接させることができる。したがって、利用者の満足度を向上することができる。
【００１３】
また、この発明の態様として、前記前後の側面のうち凹側の側面に、複数のマッサージ用凸部を配置することができる。  
複数のマッサージ用凸部は、整列配置又はランダムに配置した凸部、あるいは同形状又はランダム形状の凸部であることを含む。  
これにより、温め効果、或いは冷却効果を伴うマッサージ効果を得ることができる。
【発明の効果】
【００１４】
この発明によれば、上面に備えた注入口から安全且つ容易に液体を注入することのできる湯たんぽを得ることができる。
【発明を実施するための最良の形態】
【００１５】
この発明の一実施形態を以下図面と共に説明する。  
漏斗付湯たんぽ１の斜視図を示す図１と、漏斗付湯たんぽ１の正面図を示す図２と、漏斗付湯たんぽ１の背面図を示す図３と、漏斗付湯たんぽ１の縦断面図を示す図４と、漏斗付湯たんぽ１の奥行き方向略中央付近の横断面図による分解説図を示す図５とともに、漏斗付湯たんぽ１について説明する。
【００１６】
漏斗付湯たんぽ１は、湯たんぽ本体２と漏斗カバー３とで構成され、全体として正面視縦長の四角形であり、左右の幅方向（図２における左右方向）の長さ対して奥行き方向（図４における左右方向）の長さの短く、正面側に凸状の平面視略円弧形状で形成されている。
【００１７】
湯たんぽ本体２は、漏斗付湯たんぽ１と同じ平面形状で、漏斗付湯たんぽ１の高さの３／４程度の高さの中空形状であり、内部に封入部２４を形成している。湯たんぽ本体２は、本体上面２ａの中央に注入口２１を備え、利用者の両目に当接させる正面視横長楕円形の当接凸部２２を正面側側面２ｂの左右方向中央付近で上下方向の所定間隔を隔てて配置している。また、患部に複数箇所で当接するマッサージ凸部２３を背面側側面２ｃ全体に整列配置している。なお、当接凸部２２の所定間隔は、普通人の左右の両眼の間隔である。また、マッサージ凸部２３は背面視円形で形成している。
【００１８】
なお、本体上面２ａ部分は、後述する漏斗カバー３の下端が嵌合するため、漏斗カバー３の肉厚分内側にくびれた括れ部分を備えている。また、注入口２１はねじ込みによって着脱自在な注入口キャップ２１ａでキャップしている。
【００１９】
漏斗カバー３は、漏斗付湯たんぽ１と略同じ平面形状で、漏斗付湯たんぽ１の高さの１／４程度の高さで、下端３１が開放された中空形状で形成され、カバー上面３ａ中央には前記注入口２１を挿着する挿着孔３２を備えている。なお、通常状態においては挿着孔３２には挿着孔キャップ４０を装着している。
【００２０】
漏斗カバー３内部には、平面視中央で挿着孔３２より一回り径の小さな円筒部３３ａと、漏斗カバー３の内側面３ｃから該円筒部３３ａに向かって傾斜する傾斜面３３とを備えている。上記挿着孔キャップ４０は下側のリング部４０ａを円筒部３３ａに嵌着して挿着孔３２に装着している。
【００２１】
通常、漏斗付湯たんぽ１を使用する場合、封入部２４に冷水やお湯の液体５を封入し、注入口２１を注入口キャップ２１ａでキャップし、その上から漏斗カバー３を嵌着した状態で患部に当てて使用する。このとき、封入部２４に冷水等の冷たい温度の液体５を封入すれば漏斗付湯たんぽ１によって冷却効果を得ることができ、封入部２４にお湯等の熱い液体５を封入すれば漏斗付湯たんぽ１によって温め効果を得ることができる。なお、漏斗付湯たんぽ１を患部に当てて得ることのできる冷却効果或いは温め効果を以下において温冷効果とする。
【００２２】
漏斗付湯たんぽ１の使用状態を説明する説明図である図６に示すように、漏斗付湯たんぽ１を横に向け、まぶたを閉じた目６の上から当接凸部２２を当てることによって、当接凸部２２を普通人の両面間隔に合わせて隔てて配置しているため、両目同時に上記温冷効果を与えることができる。
【００２３】
また、漏斗付湯たんぽ１の別の使用状態を説明する説明図である図７に示すように、漏斗付湯たんぽ１の背面側側面２ｃ側を膝等の曲線断面形状である患部７に当てて漏斗付湯たんぽ１を使用することができる。このとき、漏斗付湯たんぽ１の背面側側面２ｃを正面側（図７において上側）に凸状の円弧形状で形成しているため、患部７の曲線の表面と密接するとともに、マッサージ凸部２３が患部７表面を押圧するため、上記温冷効果に加えてマッサージ効果を得ることができる。なお、背面側側面２ｃにマッサージ凸部２３を備えたことによって、患部７表面との接触面積が拡大し、より効果的な温冷効果を患部７に与えることができる。
【００２４】
このように使用する漏斗付湯たんぽ１について、次に、封入部２４へ液体５を注入する注入作業を説明する。  
上述したように、封入部２４へ液体５を注入する場合、湯たんぽ本体２の本体上面２ａに備えた注入口２１から注入しなければならない。しかし、この注入口２１は、封入部２４へ注入する液体５の量に対して開口面積が小さく、少しずつ液体５を注入する必要があり、注入口２１から液体５を直接注入する場合、注入時間が長くなる。
【００２５】
しかし、漏斗付湯たんぽ１の注入状態を説明する説明図である図８に示すように、本実施例に示す漏斗付湯たんぽ１は、本体２の上部から漏斗カバー３を取り外し、挿着孔３２から挿着孔キャップ４０を取外すとともに、下端３１が上側となるように漏斗カバー３を上下逆さまとして、注入口キャップ２１ａを取外した注入口２１を挿着孔３２に挿着する。詳述すると、注入口２１の挿着部を説明する拡大詳細図（図８ａ部）に示すように、挿着孔３２内部に注入口２１を挿入し、注入口２１内部に円筒部３３ａを挿入している。すなわち、挿着孔３２の内側であり、円筒部３３ａの外側に注入口２１を挿入して、挿着孔３２と円筒部３３ａとで注入口２１を両側から挟みこむ態様で挿着する。したがって、より安定して挿着孔３２と注入口２１とを接続することができる。
【００２６】
これにより、上下逆さま向いた漏斗カバー３の内側と封入部２４とが、注入口２１、挿着孔３２、及び円筒部３３ａを介して連通する。したがって、漏斗カバー３上部から液体５を注ぎ込むと、傾斜面３３で円筒部３３ａに集約された液体５を容易に封入部２４に導き、注入することができる。
【００２７】
このようにして、漏斗付湯たんぽ１を湯たんぽ本体２と漏斗カバー３とで構成し、本体上面２ａに備えた注入口２１を囲繞するように、漏斗カバー３を湯たんぽ本体２上部に取外し自在に嵌着できるため、デザイン性の高い湯たんぽを提供することができる。
【００２８】
また、注入口２１を注入口キャップ２１ａでキャップするものの、例えば、注入口キャップ２１ａの締まり具合が甘く、注入口２１から液体５がもれた場合であっても、注入口２１の周りを漏斗カバー３で囲繞しているため、漏斗付湯たんぽ１の外部に液体５が漏れることを抑制している。
【００２９】
また、漏斗カバー３でカバーしているため、注入口２１の凹凸が外部に露出せず、漏斗付湯たんぽ１使用時において、注入口２１が衣服等に引っ掛かる等の不具合を防止できる。
【００３０】
また、正面側側面２ｂに普通人の両目間隔にあわせて２つの当接凸部２２を配置したことによって、目をつぶった両目６に当接凸部２２を当接させて、両目同時に漏斗付湯たんぽ１の温冷効果を与えることができる。
【００３１】
また、当接凸部２２を正面側に凸状に形成された正面側側面２ｂに設けたため、当接凸部２２を目６により密接させることができ、より効果的な温冷効果を得ることができる。
【００３２】
また、背面側側面２ｃを凹状に形成したことによって、曲線断面形状の患部７に密着して当接させることができる。したがって、背面側側面２ｃ全体にわたって整列配置したマッサージ凸部２３が患部７表面を適度に押圧し、温冷効果に加えてマッサージ効果を得ることができる。なお、マッサージ凸部２３を設けたことによって、患部７との接触面積が拡大し、温冷効果をより向上させることができる。
【００３３】
また、湯たんぽ本体２の上部から取り外した漏斗カバー３を上下逆さまにして、挿着孔３２に注入口２１を挿着することによって、注入口２１から封入部２４へ液体５を注入するための漏斗として漏斗カバー３を利用することができる。  
また、挿着孔３２と円筒部３３ａとで注入口２１を両側から挟みこむ態様で挿着するため、安定して挿着孔３２と注入口２１とを接続することができる。なお、漏斗カバー３は漏斗付湯たんぽ１の使用時において注入口２１を囲繞するカバーとして湯たんぽ本体２嵌着して使用しているため、注入口２１から封入部２４へ液体５を注入するための漏斗を別途用意する場合と比較して、利用者の利便性が向上する。
【００３４】
次に、ベルトループを備えた漏斗付湯たんぽ１００の正面図を示す図９、漏斗付湯たんぽ１００の背面図を示す図１０、漏斗付湯たんぽ１００の左側面図を示す図１１、漏斗付湯たんぽ１００の平面図及び底面図を示す図１２、漏斗付湯たんぽ１００の奥行き方向略中央付近の横断面図を示す図１３とともに、漏斗付湯たんぽ１００について説明する。なお、上述の漏斗付湯たんぽ１と同じ構成については同じ番号で示し、説明を省略する。また、漏斗付湯たんぽ１００の縦断面図は漏斗付湯たんぽ１の縦断面図示す図４と同じであるため省略し、漏斗付湯たんぽ１００の右側面図は図１１に示す漏斗付湯たんぽ１００の左側面図と対称に現れるため省略する。
【００３５】
漏斗付湯たんぽ１００は、湯たんぽ本体１０２の左右の側面１０２ｄに縦長のベルトループ２５を備えている。ベルトループ２５は、上端と下端を側面１０２ｄに固定し、その間に固定ベルト２６の通過を許容する通過口２５ａを設けている。なお、固定ベルト２６は幅広の帯状の伸縮性のベルトであり、両端に図示省略する面ファスナを備え、漏斗付湯たんぽ１００を所望の場所にあわせて固定できる構成である。
【００３６】
これにより、漏斗付湯たんぽ１００の使用状態の説明図である図１４が示すように通過口２５ａに固定ベルト２６を通し、顔の略縦方向に固定ベルト２６を周回させて固定することができる。したがって、漏斗付湯たんぽ１００を手で押さえておかなくても、温冷効果を得ることができ、利用者の満足度を向上することができる。
【００３７】
次に、薬草効果を得ることのできる漏斗付湯たんぽ２００について、漏斗付湯たんぽ２００の正面図による説明図である図１５、漏斗付湯たんぽ２００の縦断面図を示す図１６とともに説明する。なお、上述の漏斗付湯たんぽ１と同じ構成については同じ番号で示し、説明を省略する。
【００３８】
漏斗付湯たんぽ２００は、湯たんぽ本体２０２の上記漏斗付湯たんぽ１における当接凸部２２に該当する部分に当接収納部２７を備えている。当接収納部２７は、正面視逆Ｄ型形状であり、右側が開放された収納部２７ａを備えている。なお、収納部２７ａは、上下方向に所定間隔で複数配置した左右方向のスリット２７ｂと連通している。
【００３９】
漏斗付湯たんぽ２００は、当接収納部２７の収納部２７ａに正面視四角形の薄板状の薬草板２８を装着して使用する。薬草板２８は複数の貫通孔２８ａを格子状に整列配置し、薄板状に形状保持された不織布で構成され、該不織布によもぎ等の薬草成分を染込ませている。
【００４０】
これにより、当接収納部２７に薬草板２８を装着し、上述したような漏斗付湯たんぽ１と同様の使用方法で漏斗付湯たんぽ２００を使用することで、漏斗付湯たんぽ２００の温冷効果を得ることができるとともに、薬草板２８の貫通孔２８ａ及び収納部２７ａを通じて発散される薬草効果を得ることができる。これにより、通常の温冷効果と薬草効果との相乗効果を得ることができ、利用者の満足度を更に向上することができる。
【００４１】
なお、薬草板２８に薬草成分だけでなく、微量の放射線を放射する鉱物を粉末状にして織り込んでもよい。また、薬草板２８を形成する不織布の代用として、遠赤外線を発する遠赤外線照射材料で形成してもよい。これにより、上記温冷効果に合わせて所望の効果を得ることができる。
【００４２】
この発明の構成と、上述の実施形態との対応において、
この発明の上面は、本体上面２ａに対応し、
以下同様に、
液体封入部は、封入部２４に対応し、
本体部は、湯たんぽ本体２，１０２，２０２に対応し、
カバー体は、漏斗カバー３に対応し、
カバー体の上面は、カバー上面３ａに対応し、
貫通挿着部は、挿着孔３２に対応し、
湯たんぽは、漏斗付湯たんぽ１，１００，２００に対応し、
局部は、目６に対応し、
局部用当接部は、当接凸部２２、または当接収納部２７に対応し、
前後の側面は、正面側側面２ｂ及び背面側側面２ｃに対応し、
凸側である側面は、正面側側面２ｂに対応し、
局部用凸部は、当接凸部２２、または当接収納部２７に対応し、
凹側の側面は、背面側側面２ｃに対応し、
マッサージ用凸部は、マッサージ凸部２３に対応するも、
この発明は、上述の実施形態の構成のみに限定されるものではなく、多くの実施の形態を得ることができる。
【図面の簡単な説明】
【００４３】
【図１】漏斗付湯たんぽの斜視図。
【図２】漏斗付湯たんぽの正面図。
【図３】漏斗付湯たんぽの背面図。
【図４】漏斗付湯たんぽの縦断面図。
【図５】漏斗付湯たんぽの横断面図による分解説図。
【図６】漏斗付湯たんぽの使用状態を説明する説明図。
【図７】漏斗付湯たんぽの使用状態を説明する説明図。
【図８】漏斗付湯たんぽの注入状態を説明する説明図。
【図９】ベルトループを備えた漏斗付湯たんぽの正面図。
【図１０】ベルトループを備えた漏斗付湯たんぽの背面図。
【図１１】ベルトループを備えた漏斗付湯たんぽの左側面図。
【図１２】ベルトループを備えた漏斗付湯たんぽの平面図及び底面図。
【図１３】ベルトループを備えた漏斗付湯たんぽの横断面図。
【図１４】ベルトループを備えた漏斗付湯たんぽの使用状態の説明図。
【図１５】薬草板を用いる漏斗付湯たんぽの説明図。
【図１６】薬草板を用いる漏斗付湯たんぽの縦断面図。
【符号の説明】
【００４４】
１，１００，２００…漏斗付湯たんぽ
２，１０２，２０２…湯たんぽ本体
２ａ…本体上面
２ｂ…正面側側面
２ｃ…背面側側面
３…漏斗カバー
３ａ…カバー上面
５…液体
６…目
２１…注入口
２２…当接凸部
２３…マッサージ凸部
２４…封入部
２７…当接収納部
３２…挿着孔
【図１】
2008142188.tif 000003
【図２】
2008142188.tif 000004
【図３】
2008142188.tif 000005
【図４】
2008142188.tif 000006
【図５】
2008142188.tif 000007
【図６】
2008142188.tif 000008
【図７】
2008142188.tif 000009
【図８】
2008142188.tif 000010
【図９】
2008142188.tif 000011
【図１０】
2008142188.tif 000012
【図１１】
2008142188.tif 000013
【図１２】
2008142188.tif 000014
【図１３】
2008142188.tif 000015
【図１４】
2008142188.tif 000016
【図１５】
2008142188.tif 000017
【図１６】
2008142188.tif 000018